(57)【要約】【課題】液晶表示装置などのホールド型表示方式の表示装置における表示輝度の変化の急峻さを緩和して、自然な動画表示を実現する表示装置の駆動方法を提供すること。【解決手段】外部からの入力画像データに応じた所定の階調電圧（Ｖ４８Ｎ，Ｖ３２Ｎ）を画素電極３４に印加して所定の表示輝度（電位差２８ｃ，２９ｃ）で表示する前に、この所定の階調電圧（Ｖ４８Ｎ，Ｖ３２Ｎ）よりも暗い又は明るい階調の階調電圧（Ｖ４８Ｌ，Ｖ３２Ｈ）を画素電極３４に印加して所定の表示輝度（電位差２８ｃ，２９ｃ）よりも暗い又は明るい表示輝度（電位差２８ｂ，２９ｂ）で表示する。【選択図】図７
2008268429.tif 000002
【特許請求の範囲】
【請求項１】
複数の画素を備える表示装置を駆動する方法であって、外部からの入力画像データに応じた所定の階調電圧を前記画素に印加して所定の表示輝度で表示する前に、前記所定の階調電圧よりも暗い又は明るい階調の階調電圧を前記画素に印加して前記所定の表示輝度よりも暗い又は明るい表示輝度で表示することを特徴とする表示装置の駆動方法。
【請求項２】
１水平期間中の第１の期間に前記所定の階調電圧よりも暗い又は明るい階調の階調電圧を前記画素に印加し、前記１水平期間中の第２の期間に前記所定の階調電圧を該画素に印加することを特徴とする請求項１に記載の表示装置の駆動方法。
【請求項３】
複数の画素を備え、外部からの入力画像データに応じた所定の階調電圧を前記画素に印加して所定の表示輝度で表示する前に、前記所定の階調電圧よりも暗い又は明るい階調の階調電圧を前記画素に印加して前記所定の表示輝度よりも暗い又は明るい表示輝度で表示する方法に用いられる表示装置の駆動装置であって、前記所定の階調電圧を生成する標準階調電圧生成部と、前記所定の階調電圧よりも暗い階調電圧を生成する暗階調電圧生成部と、前記所定の階調電圧よりも明るい階調電圧を生成する明階調電圧生成部を備えていることを特徴する表示装置の駆動装置。
【請求項４】
１水平期間中の第１の期間に前記暗階調電圧生成部又は前記明階調電圧生成部からの階調電圧を前記画素に印加し、前記１水平期間中の第２の期間に前記標準階調電圧生成部からの階調電圧を該画素に印加することを特徴とする請求項３に記載の表示装置の駆動方法。
【請求項５】
必要数の階調電圧を作成する抵抗分割回路の途中位置に設けられる複数の参照電圧設定用入力端子に、前記標準階調電圧用の参照電圧設定回路、前記暗階調電圧用の参照電圧設定回路、前記明階調電圧用の参照電圧設定回路のいずれかが切り換え接続されることにより、前記標準電圧生成部、前記暗階調電圧生成部、前記明階調電圧生成部が構成されていることを特徴とする請求項３又は４に記載の表示装置の駆動装置。
【請求項６】
請求項３から５のいずれかに記載の表示装置の駆動装置が備えられていることを特徴とする液晶表示装置。
【発明の詳細な説明】
【技術分野】
【０００１】
本発明は、液晶表示装置などの表示装置の駆動方法に関する。
【背景技術】
【０００２】
近年、コンピュータやテレビなどの家電製品の表示部として、液晶表示装置が広く用いられている。しかしながら、このような用途に従来から主として用いられてきた冷陰極管（ＣＲＴ）表示装置に対し、液晶表示装置は、動きのある画像を表示した場合に、動き部分の輪郭がぼけて知覚されてしまうという、いわゆる「動画ぼけ」の欠点が指摘されている。
【０００３】
ＣＲＴ表示装置は、電子ビームを走査して蛍光体を発光させて表示を行うことから、各画素の発光は蛍光体の若干の残光はあるものの概ねインパルス状となる、いわゆるインパルス型表示方式となっている。
【０００４】
これに対し、液晶表示装置は、液晶に電圧を印加することにより蓄えられた電荷が次に電圧を印加するまで比較的高い割合で保持されるため、液晶画素が次のフレームの画像情報に基づく電圧印加により書き換えられるまで発光しつづけるという、いわゆるホールド型表示方式である。
【０００５】
このようなホールド型表示方式は、あるフレームの画像から次のフレームの画像に表示が瞬間的に切り換わる際の表示輝度の変化が急峻であるため、現在のフレームの画像だけでなく、直前のフレームの画像も認識されてしまい、表示品位の低下を招くことになっていた。尚、本発明に関連する先行技術文献としては下記特許文献１が挙げられる。
【０００６】
【特許文献１】特開平１０−３０１５３８号公報
【発明の開示】
【発明が解決しようとする課題】
【０００７】
そこで、本発明が解決する課題は、液晶表示装置などのホールド型表示方式の表示装置における表示輝度の変化の急峻さを緩和して、自然な動画表示を実現する表示装置の駆動方法、表示装置の駆動装置、液晶表示装置を提供することである。
【課題を解決するための手段】
【０００８】
上記課題を解決するため本発明に係る表示装置の駆動方法は、複数の画素を備える表示装置を駆動する方法であって、外部からの入力画像データに応じた所定の階調電圧を前記画素に印加して所定の表示輝度で表示する前に、前記所定の階調電圧よりも暗い又は明るい階調の階調電圧を前記画素に印加して前記所定の表示輝度よりも暗い又は明るい表示輝度で表示することを要旨とするものである。
【０００９】
この場合、１水平期間中の第１の期間に前記所定の階調電圧よりも暗い又は明るい階調の階調電圧を画素に印加し、前記１水平期間中の第２の期間に前記所定の階調電圧を該画素に印加する構成にすると良い。
【００１０】
また、上記課題を解決するため本発明に係る表示装置の駆動装置は、複数の画素を備え、外部からの入力画像データに応じた所定の階調電圧を前記画素に印加して所定の表示輝度で表示する前に、前記所定の階調電圧よりも暗い又は明るい階調の階調電圧を前記画素に印加して前記所定の表示輝度よりも暗い又は明るい表示輝度で表示する方法に用いられる表示装置の駆動装置であって、前記所定の階調電圧を生成する標準階調電圧生成部と、前記所定の階調電圧よりも暗い階調電圧を生成する暗階調電圧生成部と、前記所定の階調電圧よりも明るい階調電圧を生成する明階調電圧生成部を備えていることを要旨とするものである。
【００１１】
この場合、１水平期間中の第１の期間に前記暗階調電圧生成部又は前記明階調電圧生成部からの階調電圧を前記画素に印加し、前記１水平期間中の第２の期間に前記標準階調電圧生成部からの階調電圧を該画素に印加する構成にすると良い。
【００１２】
更に、必要数の階調電圧を作成する抵抗分割回路の途中位置に設けられる複数の参照電圧設定用入力端子に、前記標準階調電圧用の参照電圧設定回路、前記暗階調電圧用の参照電圧設定回路、前記明階調電圧用の参照電圧設定回路のいずれかが切り換え接続されることにより、前記標準電圧生成部、前記暗階調電圧生成部、前記明階調電圧生成部が構成されると良い。そして、このような表示装置の駆動装置を備えた液晶表示装置として構成すると良い。
【発明の効果】
【００１３】
上記構成を有する表示装置の駆動方法及び表示装置の駆動装置によれば、外部からの入力画像データに応じた所定の階調電圧を画素に印加して所定の表示輝度で表示する前に、所定の階調電圧よりも暗い又は明るい階調の階調電圧を画素に印加して所定の表示輝度よりも暗い又は明るい表示輝度で表示するので、画素における表示輝度の変化を段階的に変化させることができる。これにより、あるフレームの画像から次のフレームの画像に表示が瞬間的に切り換わる際の表示輝度の変化の急峻さが緩和される。その結果、ホールド型表示方式における動画表示の不自然さを緩和することができる。
【００１４】
この場合、１水平期間中の第１の期間に前記所定の階調電圧よりも暗い又は明るい階調の階調電圧を前記画素に印加し、前記１水平期間中の第２の期間に前記所定の階調電圧を該画素に印加する構成にすれば、１水平期間中における表示輝度の変化を２段階にすることができ、その結果、１水平期間中における表示輝度の変化を緩やかにするこができる。
【００１５】
また、上記構成を有する表示装置の駆動装置によれば、所定の階調電圧を生成する標準階調電圧生成部と、所定の階調電圧よりも暗い階調電圧を生成する暗階調電圧生成部と、所定の階調電圧よりも明るい階調電圧を生成する明階調電圧生成部を備えていることにより、これら３種類の階調電圧生成部からの出力を切り換えるだけで、上述した画素における表示輝度の変化を段階的に変化させることができる。
【００１６】
更に、必要数の階調電圧を作成する抵抗分割回路の途中位置に設けられる複数の参照電圧設定用入力端子に、前記標準階調電圧用の参照電圧設定回路、前記暗階調電圧用の参照電圧設定回路、前記明階調電圧用の参照電圧設定回路のいずれかを切り換え接続することにより、前記標準電圧生成部、前記暗階調電圧生成部、前記明階調電圧生成部を構成すれば、この標準階調電圧用の参照電圧設定回路、つまり従来から用いられている基準階調電設定回路に、暗階調電圧用の参照電圧設定回路、明階調電圧用の参照電圧設定回路を追加するだけなので、簡易に電気回路を構成することができる。
【発明を実施するための最良の形態】
【００１７】
以下に、本発明の係る表示装置の駆動装置の一実施の形態について、図面を参照して詳細に説明する。図１は、本発明の一実施形態に係る表示装置の構造の要部を模式的に示したものである。
【００１８】
図１に示される液晶表示装置１は、ベゼル２、表示パネル３、及び照明装置４を備える。ベゼル２は表示パネル３の額縁となる部材で、表示パネル３は、２枚のガラスを貼り合わせてその間に液晶を封止したものである。
【００１９】
照明装置４は、フレーム５、光学シート類６、ランプ７、反射板８、シャーシ９、サイドホルダー１０、インバータ基板１１とから構成される。フレーム５は、額縁形状を有しており、光学シート類６をシャーシ９及びサイドホルダー１０の載置面に固定するためのものである。光学シート類６は、ランプ７から表示パネル３に入射する光の特性を調整するためのもので、例えば、下から順に拡散板、拡散シート、レンズシート、偏光反射シート等から構成される。
【００２０】
ランプ７は、線状の光源で、端部にランプコネクタ１２が装着されている。このランプ７の下側に布設される反射板８は、ランプ７から発せられる光を表示パネル３側に反射させるためのものである。シャーシ９とサイドホルダー１０は、ランプ７を複数並列に収容するランプ収容部を形成するための部材である。この場合、シャーシ９は、金属製板材の板金加工により略箱形状に形成されたもので、ランプ収容部の底部と長辺側の側壁部を構成する。サイドホルダー１０は、白色の樹脂製部材で、同じくランプ収容部の短辺側の側壁部を構成している。
【００２１】
また、シャーシ９の裏面には、電源供給ユニットとして、ランプ７を駆動する高圧交流電圧を発生させるインバータ基板１１が設けられている。このインバータ基板１１によりランプ７は、高電圧が印加されて駆動されるようになっている。また、表示パネル３を制御するコントロール基板１４もシャーシ９裏面に設けられている。尚、インバータ基板１１とコントロール基板１４は、それぞれインバータ基板カバー１１ａ及びコントロール基板カバー１４ａに覆われている。
【００２２】
図２は表示パネル３の概略構成を示した図である。表示パネル３は、ガラス基板からなるアレイ基板３２と対向基板３３とが液晶を介して所定の間隔で対向して設けられている。また、対向基板３３にはほぼ全面に図示しない対向電極が形成されている。
【００２３】
アレイ基板３２には、垂直方向に延ばされ平行に配設された複数の画素信号線Ｓと、水平方向に延ばされ平行に配設された走査線Ｇとが互いに交差するように設けられている。また、これら両配線でマトリクス状に区切られた画素領域には画素電極３４がそれぞれ形成されている。そして、両配線の交差部近傍にはスイッチング素子としての薄膜トランジスタ３５が配置されている。
【００２４】
また、薄膜トランジスタ３５のソース電極は画素信号線Ｓに接続され、薄膜トランジスタ３５のゲート電極は走査線Ｇに接続されている。そして、ドレイン電極は補助容量３６と液晶３７に面した画素電極３４に接続されている。
【００２５】
画素信号線Ｓは、ソースドライバＩＣ（画素信号線駆動回路）３８に接続され、走査線ＧはゲートドライバＩＣ（走査線駆動回路）３９に接続されている。ソースドライバＩＣ３８及びゲートドライバＩＣ３９は、コントロール基板１４に接続されて、各々制御される。ソースドライバＩＣ３８にはコントロール基板１４により表示画面の表示信号が供給され、ゲートドライバＩＣ３９にはコントロール基板１４により走査信号が走査方向４０に従って供給される。
【００２６】
映像信号の制御は次のように行われる。入力画像データ、垂直・水平同期信号及び電源電圧からなる外部データ信号をコントロール基板１４に入力し、垂直・水平同期信号を基にして、ソースドライバＩＣ３８にデータを取り込むためのクロック信号や走査線Ｇを切り換えるためのクロック信号を生成する。
【００２７】
ソースドライバＩＣ３８は、スタートパルスの立ち上がりと同時にシフトレジスタの動作を開始し、クロックにより動作を行う。クロックと同時に入力されるデータをシフトレジスタによって選択されたサンプリングメモリに格納し、１水平ライン全ての表示データが送られると、コントロール基板１４からラッチパルスを出力する。
【００２８】
ソースドライバＩＣ３８がラッチパルスを受け取ると、ホールドメモリがサンプリングメモリに格納されているデータを一括してラッチする。ラッチされたデータはＤ／Ａ変換されて階調電圧として画素信号線Ｓに出力される。このとき、走査線Ｇの１本にオン電圧が加えられると、薄膜トランジスタ３５の横１行が全部オン状態にされる。これにより、横１行の画素電極３４にデータ１ライン分に対応した階調電圧がそれぞれ印加されて液晶が駆動し、横１行が表示される。このような動作を同様に繰り返しながら走査線Ｇに対して上下方向に走査して全ラインを駆動する。
【００２９】
次に図３〜図８を用いて本発明に係る表示装置の駆動装置について説明する。図３に示すように、上述した表示パネル３には、ソースドライバＩＣ３８がＣＯＦ（chip on film）方式で実装されたフレキシブルプリント基板（ＦＰＣ）が複数接続されている。また、これらソースドライバＩＣ３８にはソース配線基板（ＰＷＢ）２０が接続されている。そして、ソース配線基板２０は、ＦＰＣからなるケーブル２１を介してコントロール基板（駆動制御回路）１４に接続されている。
【００３０】
ソース配線基板２０は、細長い形状、例えば図示されるような長方形に形成されており、表示パネル３の周縁部に沿うように配設される。ソース配線基板２０の表面や内部の層には複数の電気配線が長手方向に沿って設けられている。図示されるように、一枚のソース配線基板２０に対して複数のソースドライバＩＣ３８が接続され、接続された各ソースドライバＩＣ３８に対して所定の電気信号や電力を分配できるようになっている。このソース配線基板２０の長手方向の寸法は、表示パネル３のサイズに応じて設定されている。
【００３１】
図４は、図３に示したコントロール基板１４とソースドライバＩＣ３８の接続の回路構成を模式的に示した図である。ソースドライバＩＣ３８は、図示されるように、入力される５つの基準電圧（Ｖ０，Ｖ１６，Ｖ３２，Ｖ４８，Ｖ６３）から全階調電圧を生成するために、表示階調数に応じた抵抗分割回路（階調電圧生成部）２２を備えている。
【００３２】
この抵抗分割回路２２は、図５に示すように、各基準電圧間を抵抗分割方式で１６分割する。また、液晶表示を行う場合、液晶の焼きつき防止のため、交流化駆動を行う必要があることから、通常は１フレーム毎に液晶駆動電圧の極性を反転することが行われている。そこで、図４に示されるように、極性反転のために＋側（正極性側）−側（負極性側）でそれぞれ６４レベルの階調電圧が作成されている。この場合、抵抗分割回路２２は、１フレーム毎に極性が変わる極性反転信号ＩＮＶが入力されており、正極性のときは＋側、負極性のときは−側の階調電圧を出力する。
【００３３】
この抵抗分割回路２２に、分割のもとになる最低階調電圧Ｖ０、最高階調電圧Ｖ６３及び参照電圧（Ｖ１６，Ｖ３２，Ｖ４８）を供給しているのがコントロール基板１４に設けられた基準階調電圧発生部２３である。このような参照電圧を複数設けて抵抗分割回路２２に補正電圧として入力することで、所定のガンマ特性に合うように階調電圧を補正することができるようになっている。
【００３４】
基準階調電圧発生部２３には、標準階調電圧用の参照電圧設定回路２３Ｎ、暗階調電圧用の参照電圧設定回路２３Ｌ、明階調電圧用の参照電圧設定回路２３Ｈが設けられている。これら３の参照電圧設定回路２３，２３Ｌ，２３Ｈのそれぞれの出力は、スイッチング回路２４を介してソースドライバＩＣ３８の抵抗分割回路２２に接続されている。
【００３５】
図６は、標準階調電圧用の参照電圧設定回路２３Ｎ、暗階調電圧用の参照電圧設定回路２３Ｌ、明階調電圧用の参照電圧設定回路２３Ｈが、それぞれソースドライバＩＣ３８の抵抗分割回路２２に接続された際に抵抗分割回路２２から出力される階調電圧と、その階調電圧が画素電極３４に印加された際の画素の表示輝度との関係を示したグラフである。
【００３６】
図４に示される標準階調電圧用の参照電圧設定回路２３Ｎは、いわゆる基準階調電圧設定回路と呼ばれるもので、画像データの階調レベルと光透過率の関係が、例えばガンマ２．２の曲線となるように設定するための参照電圧Ｖ１６Ｎ，Ｖ３２Ｎ，Ｖ４８Ｎを＋側−側共に出力する。この場合、スイッチング回路２４の切り換え動作によって、ソースドライバＩＣ３８の抵抗分割回路２２に接続されると、図６中の実線２５Ｎで示されるようなガンマ特性に設定される。
【００３７】
暗階調電圧用の参照電圧設定回路２３Ｌは、上述の標準階調電圧用の参照電圧設定回路２３Ｎからの参照電圧Ｖ１６Ｎ，Ｖ３２Ｎ，Ｖ４８Ｎが画素電極３４に印加された際の表示輝度よりも暗い表示輝度となるような参照電圧Ｖ１６Ｌ，Ｖ３２Ｌ，Ｖ４８Ｌを＋側−側共に出力する。この場合、スイッチング回路２４の切り換え動作によって、ソースドライバＩＣ３８の抵抗分割回路２２に接続されると、図６中の一点鎖線２５Ｌで示されるようなガンマ特性に設定される。
【００３８】
明階調電圧用の参照電圧設定回路２３Ｈは、上述の標準階調電圧用の参照電圧設定回路２３Ｎからの参照電圧Ｖ１６Ｎ，Ｖ３２Ｎ，Ｖ４８Ｎが画素電極３４に印加された際の表示輝度よりも明るい表示輝度となるような参照電圧Ｖ１６Ｈ，Ｖ３２Ｈ，Ｖ４８Ｈを＋側−側共に出力する。この場合、スイッチング回路２４の切り換え動作によって、ソースドライバＩＣ３８の抵抗分割回路２２に接続されると、図６中の点線２５Ｈで示されるようなガンマ特性に設定される。
【００３９】
スイッチング回路２４は、制御信号２６によって切り換え接続を行う。従って、図示されるように、抵抗分割回路２２に接続されるのは、標準階調電圧用の参照電圧設定回路２３Ｎ、暗階調電圧用の参照電圧設定回路２３Ｌ、明階調電圧用の参照電圧設定回路２３Ｈの３回路のいずれかとなっている。
【００４０】
図７及び図８には、上述した表示装置の駆動装置を用いた液晶駆動波形の一例が示されている。図７及び図８において、ＶＳはソースドライバＩＣ３８から画素信号線Ｓに出力される階調電圧の駆動波形であり、ＶＧはゲートドライバＩＣ３９から走査線Ｇに出力される電圧の駆動波形である。また、ＶＣは対向電極の電位であり、２７は画素電極３４の電圧波形である。ここで液晶に印加される電圧は、画素電極３４と対向電極との電位差であり、図中においては斜線で示されている。
【００４１】
先ず図７に示した液晶駆動波形について説明する。図７（ａ）の場合、ゲートドライバＩＣ３９からの駆動波形ＶＧのレベルが「Ｈ」の期間だけ薄膜トランジスタ３５がオンし、ソースドライバＩＣ３８からの階調電圧の駆動波形ＶＳと対向電極の電位ＶＣとの差の電圧が画素電極３４に印加される。図示されるように駆動波形ＶＧは１水平期間中に「Ｈ」になる期間が２回あり、１回目の「Ｈ」の期間を第１の期間ｈ１、２回目の「Ｈ」の期間を第２の期間ｈ２と示されている。
【００４２】
この場合、駆動波形ＶＧの第１の期間ｈ１におけるトランジスタ３５のオンに対応して、駆動波形ＶＳは、スイッチング回路２４によって暗階調電圧用の参照電圧設定回路２３Ｌに接続されると共に、極性反転信号ＩＮＶが正極性であるので＋Ｖ４８Ｌの階調電圧となっている。そして、次の駆動波形ＶＧの第２の期間ｈ２におけるトランジスタ３５のオンに対応して、駆動波形ＶＳは、スイッチング回路２４によって標準階調電圧用の参照電圧設定回路２３Ｎに接続されて＋Ｖ４８Ｎの階調電圧となっている。
【００４３】
これにより、画素電極３４の電圧波形２７は、前のフレームにおいて書き込まれ維持されていた電位差２８ａから、第１の期間ｈ１において電位差２８ｂに変化した後、次の第２の期間ｈ２において電位差２８ｃに変化する。その後、ゲートドライバＩＣ３９の駆動波形ＶＧのレベルは「Ｌ」となり、薄膜トランジスタ３５はオフ状態になる。このとき、画素には補助容量３６が存在するため、図示されるように画素電極３４の電圧波形２７の電位差２８ｃが維持される。
【００４４】
従来の駆動方法では、画素電極３４の電圧波形２７は、前のフレームにおいて書き込まれ維持されている電位差２８ａから、瞬間的に電位差２８ｃに急峻に変化していた。本発明に係る駆動方法では、電位差２８ａから一気に電位差２８ｃに変化させるのではなく、電位差２８ｃよりも小さい電位差２８ｂに一度変化させてから電位差２８ｃに変化させている。
【００４５】
このように画素における表示輝度の小→大への変化を段階的にすることで、あるフレームの画像から次のフレームの画像に表示が瞬間的に切り換わる際の表示輝度の変化の急峻さが緩和され、ホールド型表示方式における動画表示の不自然さを緩和することができる。
【００４６】
図７（ｂ）は、図７（ａ）の次のフレームでの書き込みによる液晶駆動波形を示している。図７（ａ）の場合と同様に、駆動波形ＶＧは１水平期間中に「Ｈ」になる期間が第１の期間ｈ１と２第２の期間ｈ２の２回となっている。この場合、駆動波形ＶＧの第１の期間ｈ１におけるトランジスタ３５のオンに対応して、駆動波形ＶＳはスイッチング回路２４によって暗階調電圧用の参照電圧設定回路２３Ｌに接続されると共に、極性反転信号ＩＮＶが負極性であるので−Ｖ４８Ｌの階調電圧となっている。そして、次の駆動波形ＶＧの第２の期間ｈ２におけるトランジスタ３５のオンに対応して、駆動波形ＶＳはスイッチング回路２４によって標準階調電圧用の参照電圧設定回路２３Ｎに接続されて−Ｖ４８Ｎの階調電圧となっている。
【００４７】
次に図８に示した液晶駆動波形について説明する。図８（ａ）の場合、駆動波形ＶＧの第１の期間ｈ１におけるトランジスタ３５のオンに対応して、駆動波形ＶＳはスイッチング回路２４によって明階調電圧用の参照電圧設定回路２３Ｈに接続されると共に、極性反転信号ＩＮＶが正極性であるので＋Ｖ３２Ｈの階調電圧となっている。そして、次の駆動波形ＶＧの第２の期間ｈ２におけるトランジスタ３５のオンに対応して、駆動波形ＶＳはスイッチング回路２４によって標準階調電圧用の参照電圧設定回路２３Ｎに接続されて＋Ｖ３２Ｎの階調電圧となっている。
【００４８】
これにより、画素電極３４の電圧波形２７は、前のフレームに書き込まれ維持されていた電位差２９ａから、第１の期間ｈ１において電位差２９ｂに変化した後、次の第２の期間ｈ２において電位差２９ｃに変化する。その後、ゲートドライバＩＣ３９の駆動波形ＶＧのレベルは「Ｌ」となり、薄膜トランジスタ３５はオフ状態になる。このとき、画素には補助容量３６が存在するため、図示されるように画素電極３４の電圧波形２７の電位差２９ｃが維持される。
【００４９】
従来の駆動方法では、画素電極３４の電圧波形２７は、前のフレームにおいて書き込まれ維持されている電位差２９ａから、瞬間的に電位差２９ｃに急峻に変化していた。本発明に係る駆動方法では、電位差２９ａから一気に電位差２９ｃに変化させるのではなく、途電位差２９ｃよりも大きい電位差２９ｂに一度変化させてから電位差２９ｃに変化させている。
【００５０】
このように画素における表示輝度の大→小への変化を段階的にすることで、あるフレームの画像から次のフレームの画像に表示が瞬間的に切り換わる際の表示輝度の変化の急峻さが緩和され、ホールド型表示方式における動画表示の不自然さを緩和することができる。
【００５１】
図８（ｂ）は、図８（ａ）の次のフレームでの書き込みによる液晶駆動波形を示している。図８（ａ）の場合と同様に、駆動波形ＶＧは１水平期間中に「Ｈ」になる期間が第１の期間ｈ１と２第２の期間ｈ２の２回となっている。この場合、駆動波形ＶＧの第１の期間ｈ１におけるトランジスタ３５のオンに対応して、駆動波形ＶＳはスイッチング回路２４によって明階調電圧用の参照電圧設定回路２３Ｈに接続されると共に、極性反転信号ＩＮＶが負極性であるので−Ｖ３２Ｈの階調電圧となっている。そして、次の駆動波形ＶＧの第２の期間ｈ１におけるトランジスタ３５のオンに対応して、駆動波形ＶＳはスイッチング回路２４によって標準階調電圧用の参照電圧設定回路２３Ｎに接続されて−Ｖ３２Ｎの階調電圧となっている。
【００５２】
上述したように本発明に係る表示装置の駆動方法では、外部からの入力画像データに応じた所定の階調電圧（Ｖ４８Ｎ，Ｖ３２Ｎ）を画素電極３４に印加して所定の表示輝度（電位差２８ｃ，２９ｃ）で表示する前に、この所定の階調電圧（Ｖ４８Ｎ，Ｖ３２Ｎ）よりも暗い又は明るい階調の階調電圧（Ｖ４８Ｌ，Ｖ３２Ｈ）を画素電極３４に印加して所定の表示輝度（電位差２８ｃ，２９ｃ）よりも暗い又は明るい表示輝度（電位差２８ｂ，２９ｂ）で表示する。従って、画素における表示輝度の変化を段階的に変化させることができる。これにより、あるフレームの画像から次のフレームの画像に表示が瞬間的に切り換わる際の表示輝度の変化の急峻さが緩和される。その結果、ホールド型表示方式における動画表示の不自然さを緩和することができる。
【００５３】
次に、上述した表示装置を備えるテレビ受信装置について簡単に説明する。図９は上述した実施形態に係る表示装置１を備えるテレビ受信装置の構成の一例を模式的に示した分解斜視図である。このテレビ受信装置５０は、受信した電波や入力された外部からの入力信号に基づいて所定のチャンネルの映像信号と音声信号を生成するチューナ５２と、チューナ５２が生成した映像信号に基づいて映像を表示する表示装置１と、チューナ５２が生成した音声信号に基づいて音声を発する拡声手段５４と、これらチューナ５２、表示装置１、拡声手段５４に対して電力を供給する電源基板５３とを備える。
【００５４】
チューナ５２には、従来一般の地上波（アナログ、デジタルのいずれか又は双方）チューナ、ＢＳチューナ、ＣＳチューナなどが適用でき、拡声手段５４には、一般的なスピーカなど、従来一般の拡声手段が適用される。また、表示装置１は、上述した実施形態に係る表示装置が適用される。
【００５５】
そして、図示されるように、これら表示装置１、チューナ５２、拡声手段５４、電源基板５３は、表側キャビネット５１ａと裏側キャビネット５１ｂにより構成される筐体に収納され、さらにスタンド５５により支持される。このような構成のテレビ受信装置５０に上述した実施形態に係る表示装置１を組み込むことができる。
【００５６】
以上、本発明の実施形態について説明したが、本発明はこうした実施形態に何ら限定されるものではなく、本発明の要旨を逸脱しない範囲において、種々なる態様で実施できることは勿論である。
【図面の簡単な説明】
【００５７】
【図１】本発明の一実施形態に係る表示装置の駆動装置を備えた表示装置の概略構成を示した分解斜視図である。
【図２】本発明の一実施形態に係る表示装置の駆動装置が適用される表示パネルの概略構成を示した図である。
【図３】本発明の一実施形態に係る表示装置の駆動装置と表示パネルとの接続の形態を示した外観斜視図である。
【図４】本発明の一実施形態に係る表示装置の駆動装置が備える回路の概略構成を示した図である。
【図５】図４に示した抵抗分割回路が備える回路である。
【図６】図４に示した標準階調電圧用の参照電圧設定回路、暗階調電圧用の参照電圧設定回路、明階調電圧用の参照電圧設定回路によって設定される階調電圧と、その階調電圧が画素電極に印加された際の画素の表示輝度との関係を示したグラフである。
【図７】本発明の一実施の形態に係る表示装置の駆動装置を用いた液晶駆動波形の第１の例を示した図である。
【図８】本発明の一実施の形態に係る表示装置の駆動装置を用いた液晶駆動波形の第２の例を示した図である。
【図９】本発明の一実施形態に係る表示装置が組み込まれたテレビ受信機の構成を模式的に示した分解斜視図である。
【符号の説明】
【００５８】
１  液晶表示装置
２  ベゼル
３  表示パネル
４  照明装置
５  フレーム
６  光学シート類
７  ランプ
８  反射板
９  シャーシ
１０  サイドホルダー
１１  インバータ基板
１１ａ  インバータ基板カバー
１２  ランプコネクタ
１４  コントロール基板
１４ａ  コントロール基板カバー
２０  ソース配線基板
２１  ケーブル
２２  抵抗分割回路（階調電圧生成部）
２３  基準階調電圧発生部
２３Ｎ  標準階調電圧用の参照電圧設定回路
２３Ｌ  暗階調電圧用の参照電圧設定回路
２３Ｈ  明階調電圧用の参照電圧設定回路
２４  スイッチング回路
２５Ｎ  実線
２５Ｌ  一点鎖線
２５Ｈ  点線
２６  スイッチング回路制御信号
２７  画素電極の電圧波形
２８ａ〜２８ｃ  電位差
２９ａ〜２９ｃ  電位差
ＶＳ  ソースドライバＩＣ出力電圧波形
ＶＧ  ゲートドライバＩＣ出力電圧波形
ＶＣ  対向電極の電位
３２  アレイ基板
３３  対向基板
３４  画素電極
３５  薄膜トランジスタ
３６  補助容量
３７  液晶
３８  ソースドライバＩＣ（画素信号線駆動回路）
３９  ゲートドライバＩＣ（走査線駆動回路）
４０  走査方向
Ｇ  走査線
Ｓ  画素信号線
【図１】
2008268429.tif 000003
【図２】
2008268429.tif 000004
【図３】
2008268429.tif 000005
【図４】
2008268429.tif 000006
【図５】
2008268429.tif 000007
【図６】
2008268429.tif 000008
【図７】
2008268429.tif 000009
【図８】
2008268429.tif 000010
【図９】
2008268429.tif 000011